(57)【要約】【課題】    本発明の目的は、着座者の足の負担の軽減化を図った車椅子を提供するものである。【解決手段】    車椅子Ｃは、着座者が足を載せるフットレスト１を有した車椅子Ｃであって、フットレスト１に載置された載置フットレスト１０と、フットレスト１に載置フットレスト１０を固定する結束バンド２０１、２０２、２０３とを備え、載置フットレスト１は、第１の載置フットレスト１０１と第２の載置フットレスト１０２を蝶番１０３により連結されたものであり、フットレスト１に載置された載置フットレスト１０の部位は、第１の載置フットレスト１０１であり、蝶番１０３を閉じた状態では、第１の載置フットレスト１０１を第２の載置フットレスト１０２に対向するように重ね、蝶番１０３を開いた状態では、前記着座者から見て、第２の載置フットレスト１０２を前方に突き出すようにするものである。【選択図】図１
2019076637.tif 000002
【特許請求の範囲】
【請求項１】
着座者が足を載せるフットレストを有した車椅子であって、
前記フットレストに載置された載置フットレストと、
この載置フットレストを前記フットレストに固定する結束バンドとを備え、
前記載置フットレストは、第１の載置フットレストと第２の載置フットレストを蝶番により連結されたものであり、
前記フットレストに載置された前記載置フットレストの部位は、前記第１の載置フットレストであり、
前記蝶番を閉じた状態では、前記第２の載置フットレストを前記第１の載置フットレストに対向するように重ねたものであり、
前記蝶番を開いた状態では、前記着座者から見て、前記第２の載置フットレストが前方に突き出すようにする
ことを特徴とする車椅子。
【請求項２】
着座者が足を載せるフットレストを有した車椅子であって、
前記フットレストに載置された載置フットレストと、
この載置フットレストを前記フットレストに固定する結束バンドとを備え、
前記載置フットレストは、第１の載置フットレストと第２の載置フットレストを蝶番により連結されたものであり、
前記フットレストに載置された前記載置フットレストの部位は、前記第１の載置フットレストであり、
前記蝶番を閉じた状態では、前記第２の載置フットレストを前記第１の載置フットレストに対向するように重ねたものであり、
前記蝶番を開いた状態では、前記着座者から見て、前記第２の載置フットレストが前方に突き出すようにする
ことを特徴とする車椅子。
【請求項３】
着座者が足を載せるフットレストを有した車椅子であって、
前記フットレストに載置された載置フットレストと、
この載置フットレストを前記フットレストに固定する結束バンドとを備え、
前記載置フットレストは、前記着座者から見て、前後方向に伸縮自在に形成されている
ことを特徴とする車椅子。
【請求項４】
着座者が足を載せるフットレストを有した車椅子であって、
前記フットレストは、第１のフットレストと第２のフットレストを蝶番により連結されたものであり、
前記蝶番を閉じた状態では、前記第２のフットレストを前記第１のフットレストに対向するように重ねたものであり、
前記蝶番を開いた状態では、前記着座者から見て、前記第２のフットレストが前方に突き出すように
ことを特徴とする車椅子。
【請求項５】
着座者が足を載せるフットレストを有した車椅子であって、
前記フットレストは、前記着座者から見て、前後方向に伸縮自在に形成されている
ことを特徴とする車椅子。
【発明の詳細な説明】
【技術分野】
【０００１】
本発明は、車椅子に係り、特に、着座者の足の負担の軽減化を図った車椅子に関する。
【背景技術】
【０００２】
従来、例えば、 隣接するフットレストとフットレストとの間隙を少なくするようにした車椅子がある（例えば、特許文献１参照）。
この車椅子にあっては、フットレストとフットレストとの間隙に着座者の足が落ち込まないようにしている。
【先行技術文献】
【特許文献】
【０００３】
【特許文献１】特開２００４−８１３９６号公報
【発明の概要】
【発明が解決しようとする課題】
【０００４】
しかしながら、上記の車椅子にあっては、着座者から見て、フットレストを左右方向に移動できても、前後方向に移動できず、足を伸ばそうとしても、伸ばすことができず、長時間、同一姿勢をとることにより足や尻部や腰の血行不良やむくみ、筋肉の硬直を促してしまい、着座者にとって苦痛となって、長時間の車椅子に座乗することができないという問題点があった。
【０００５】
本発明は、上記事情を考慮してなされたもので、着座者の足の負担の軽減を図った車椅子を提供することを目的とする。
【課題を解決するための手段】
【０００６】
請求項１記載の車椅子は、着座者が足を載せるフットレストを有した車椅子であって、前記フットレストに載置された載置フットレストと、この載置フットレストを前記フットレストに固定する結束バンドとを備え、前記載置フットレストは、第１の載置フットレストと第２の載置フットレストを蝶番により連結されたものであり、前記フットレストに載置された前記載置フットレストの部位は、前記第１の載置フットレストであり、前記蝶番を閉じた状態では、前記第２の載置フットレストを前記第１の載置フットレストに対向するように重ねたものであり、前記蝶番を開いた状態では、前記着座者から見て、前記第２の載置フットレストが前方に突き出すようにするものである。
【０００７】
また、請求項２記載の車椅子は、着座者が足を載せるフットレストを有した車椅子であって、前記フットレストに載置された載置フットレストと、この載置フットレストを前記フットレストに固定する結束バンドとを備え、前記載置フットレストは、第１の載置フットレストと第２の載置フットレストを蝶番により連結されたものであり、前記フットレストに載置された前記載置フットレストの部位は、前記第１の載置フットレストであり、前記蝶番を閉じた状態では、前記第２の載置フットレストを前記第１の載置フットレストに対向するように重ねたものであり、前記蝶番を開いた状態では、前記着座者から見て、前記第２の載置フットレストが前方に突き出すようにするものである。
【０００８】
また、請求項３記載の車椅子は、着座者が足を載せるフットレストを有した車椅子であって、前記フットレストに載置された載置フットレストと、この載置フットレストを前記フットレストに固定する結束バンドとを備え、前記載置フットレストは、前記着座者から見て、前後方向に伸縮自在に形成されているものである。
【０００９】
また、請求項４記載の車椅子は、着座者が足を載せるフットレストを有した車椅子であって、前記フットレストは、第１のフットレストと第２のフットレストを蝶番により連結されたものであり、前記蝶番を閉じた状態では、前記第２のフットレストを前記第１のフットレストに対向するように重ねたものであり、前記蝶番を開いた状態では、前記着座者から見て、前記第２のフットレストが前方に突き出すようにするものである。
【００１０】
また、請求項５記載の車椅子は、着座者が足を載せるフットレストを有した車椅子であって、前記フットレストは、前記着座者から見て、前後方向に伸縮自在に形成されているものである。
【発明の効果】
【００１１】
請求項１記載の車椅子によれば、蝶番を開いて、着座者から見て、第２の載置フットレストを前方に突き出すようにして、着座者が足を伸ばせるようにして着座者の足の負担の軽減化を図り、しかも、例えば、車椅子の移動中は、蝶番を閉じ、第２の載置フットレストを第１の載置フットレストに対向するように重ね、第２の載置フットレストを前方に突き出ないようにして、障害物に当たらないようにすることができ、更に、その操作も、第２の載置フットレストを把持して容易に行うことができると共に、載置フットレストを結束バンドを使用して、既存の車椅子のフットレストに、簡易且つ迅速に取り付けることができる。
【００１２】
また、請求項２記載の車椅子によれば、蝶番を開いて、着座者から見て、第２の載置フットレストを前方に突き出すようにして、着座者が足を伸ばせるようにして着座者の足の軽減化を図り、しかも、例えば、車椅子の移動中は、蝶番を閉じ、第２の載置フットレストを第１の載置フットレストに対向するように重ね、第２の載置フットレストを前方に突き出ないようにして、障害物に当たらないようにすることができ、更に、その操作も、第２の載置フットレストを把持して容易に行うことができると共に、載置フットレストを固定手段により、既存の車椅子のフットレストに、簡易且つ迅速に取り付けることができる。
【００１３】
また、請求項３記載の車椅子によれば、着座者から見て、載置フットレストを前方に突き出すようにして、着座者が足を伸ばせるようにして着座者の足の負担の軽減化を図り、しかも、例えば、車椅子の移動中は、着座者から見て、載置フットレストを前方に突き出ないようにして、障害物に当たらないようにすることができ、更に、その操作も、載置フットレストを把持して容易に行うことができると共に、載置フットレストを固定手段により、既存の車椅子のフットレストに、簡易且つ迅速に取り付けることができる。
【００１４】
また、請求項４記載の車椅子によれば、蝶番を開いて、着座者から見て、第２のフットレストを前方に突き出すようにして、着座者が足を伸ばせるようにして着座者の足の負担の軽減化を図り、しかも、例えば、車椅子の移動中は、蝶番を閉じ、第２のフットレストを第１のフットレストに対向するように重ね、第２のフットレストを前方に突き出ないようにして、障害物に当たらないようにすることができ、更に、その操作も、第２のフットレストを把持して容易に行うことができる。
【００１５】
また、請求項５記載の車椅子によれば、着座者から見て、フットレストを前方に突き出すようにして、着座者が足を伸ばせるようにして着座者の足の負担の軽減化を図り、しかも、例えば、車椅子の移動中は、着座者から見て、フットレストを前方に突き出ないようにして、障害物に当たらないようにすることができ、更に、その操作も、フットレストを把持して容易に行うことができる。
【図面の簡単な説明】
【００１６】
【図１】図１（ａ）は、本発明の一実施例の車椅子の使用状態を示す概略的側面図であり、図１（ｂ）は、図１（ａ）のフットレストに載置された載置フットレストを伸ばした使用状態の概略的斜視図である。
【図２】図２は、図１の車椅子のフットレストに載置された載置フットレストを伸ばした状態の概略的斜視図である。
【図３】図３は、図２の載置フットレストを畳んだ状態の概略的斜視図である。
【図４】図４は、図２の一部を拡大して示す概略的平面図である。
【図５】図５は、図４の載置フットレストを畳んだ状態の概略的平面図である。
【図６】図６は、図４の概略的底面図である。
【図７】図７（ａ）は、図３の概略的正面図であり、図７（ｂ）は、図７（ａ）の概略的断面図である。
【図８】図８は、図１の固定手段と異なる方法で載置フットレストをフットレストに固定した状態を示す概略的斜視図である。
【図９】図９は、図８の一部を示す概略的平面図である。
【図１０】図１０は、図９の概略的断面図である。
【図１１】図１１は、図１と異なるフットレストを示す概略的斜視図である。
【図１２】図１２は、図１０と異なるフットレストを示す概略的斜視図である。
【発明を実施するための形態】
【００１７】
本発明の一実施例の車椅子を図面（図１乃至図１２）を参照して説明する。
図１に示すＣは着座者が足を載せるフットレスト１を有した車椅子で、車椅子Ｃは、基枠２に後車輪である大車輪３と前車輪である小車輪４と、小車輪４の前方に突出したフットレスト１とを備えている。
【００１８】
１０は、フットレスト１に載置された載置フットレストで、載置フットレスト１０は、第１の載置フットレスト１０１と第２の載置フットレスト１０２を蝶番１０３により連結されている。
フットレスト１に載置された載置フットレスト１０の部位は、第１の載置フットレスト１０１であり、蝶番１０３を閉じた状態では、第２の載置フットレスト１０２を第１の載置フットレスト１０１に対向するように重ね（図３参照）、蝶番１０３を開いた状態では、着座者から見て、第２の載置フットレスト１０２が前方に突き出すようにする（図２参照）。
【００１９】
その結果、蝶番１０３を開いて、着座者から見て、第２の載置フットレスト１０２を前方に突き出すようにして、着座者が足を伸ばせるようにして着座者の足の負担の軽減化を図り［足を伸ばすと尻部や腰も楽になる。図１（ｂ）参照］、しかも、例えば、車椅子Ｃの移動中は、蝶番１０３を閉じ、第２の載置フットレスト１０２を第１の載置フットレスト１０１に対向するように重ね［図１（ａ）参照］、第２の載置フットレスト１０２を前方に突き出ないようにして、障害物に当たらないようにすることができる。
【００２０】
２０は、載置フットレスト１０をフットレスト１に固定する固定手段である。固定手段２０は、両面テープ、接着剤、挟持部材（断面コ字状部材とボルト）、バネクリップ、結束バンド等である。
このように、載置フットレスト１０を固定手段２０により、既存の車椅子Ｃのフットレスト１に、簡易且つ迅速に取り付けることができる。
【００２１】
次に、固定手段２０が結束バンドによる場合について、以下、説明する。
結束バンドは、例えば、第１、第２、第３の結束バンド２０１、２０２、２０３を用いる。
即ち、第１の載置フットレスト１０１に４個の穴１０１ａ、１０１ｂ、１０１ｃ、１０１ｄを設け、第１の結束バンド２０１を穴１０１ａ、穴１０１ｂに通すと共に、フットレスト１の裏面側で結束する。また、第２の結束バンド２０２を穴１０１ｃ、穴１０１ｄに通すと共に、フットレスト１の裏面側で結束する。そして、結束した第１の結束バンド２０１の中途と結束した第２の結束バンド２０２の中途とを第３の結束バンド２０３により結束するようにして、載置フットレスト１０をフットレスト１に固定する。
【００２２】
なお、図示しないが、第１の結束バンド２０１を穴１０１ａ、穴１０１ｃに通すと共に、フットレスト１の裏面側で結束し、第２の結束バンド２０２を穴１０１ｂ、穴１０１ｄに通すと共に、フットレスト１の裏面側で結束して、載置フットレスト１０をフットレスト１に固定するようにしても良い。
【００２３】
このように、載置フットレスト１０を結束バンド２０１、２０２、２０３（又は、２０１、２０２）を使用して、既存の車椅子Ｃのフットレスト１に、簡易且つ迅速に取り付けることができる。
固定手段２０として、挟持部材（断面コ字状部材とボルト）による場合は、図８乃至図１０に示すように、断面コ字状部材２０４の雌ねじに螺合するボルト２０５の先端をフットレスト１の裏面に当接して載置フットレスト１０をフットレスト１に固定することが出来る。
【００２４】
上述した載置フットレスト１０は、着座者から見て、前後方向に伸縮自在、例えば、二段階に伸縮自在に形成されているが、本願発明にあっては、これに限らず、図示しないが、図１２記載のフットレスト１’のように多段階に伸縮自在に形成するようにしても良い。
【００２５】
また、上述した載置フットレスト１０は、既存のフットレスト１を有した車椅子Ｃに取り付けるようにしたが、本願発明にあっては、これに限らず、図１１及び図１２記載の車椅子Ｃに示すように、着座者が足を載せるフットレスト１’を有した車椅子にあって、フットレスト１’は、第１のフットレスト１１と第２のフットレスト１２を蝶番１３により連結するようにしても良い。
【００２６】
即ち、蝶番１３を閉じた状態では、第１のフットレスト１１が第２のフットレスト１２に対向するように重ね、蝶番１３を開いた状態では、着座者から見て、第２のフットレスト１２を前方に突き出すようにする。
【００２７】
その結果、上述した車椅子Ｃによれば、蝶番１３を開いて、着座者から見て、第２のフットレスト１２を前方に突き出すようにして、着座者が足を伸ばせるようにして着座者の足の負担の軽減化を図り（足を伸ばすと尻部や腰も楽になる。）、しかも、例えば、車椅子Ｃの移動中は、蝶番１３を閉じ、第１のフットレスト１１が第２のフットレスト１２に対向するように重ね、第２のフットレスト１２が前方に突き出ないようにして、障害物に当たらないようにすることができ、更に、その操作も、第２のフットレスト１２を把持して容易に行うことができる。
【００２８】
また、上述したフットレスト１’は、着座者から見て、前後方向に伸縮自在、例えば、、図１２記載の二段階（足を伸ばしたい場合には、図１２記載のように第２のフットレスト１２を前方に突き出し、縮めたい場合には、第２のフットレスト１２を第１のフットレスト１１内に収納するようにする。）に伸縮自在に形成されているが、本願発明にあっては、これに限らず、図示しないが、フットレスト１を多段階に伸縮自在に形成するようにしても良い。
【符号の説明】
【００２９】
Ｃ      車椅子
１      フットレスト
１０    載置フットレスト
１０１  第１の載置フットレスト
１０２  第２の載置フットレスト
１０３  蝶番
２０１  結束バンド
２０２  結束バンド
２０３  結束バンド
【図１】
2019076637.tif 000003
【図２】
2019076637.tif 000004
【図３】
2019076637.tif 000005
【図４】
2019076637.tif 000006
【図５】
2019076637.tif 000007
【図６】
2019076637.tif 000008
【図７】
2019076637.tif 000009
【図８】
2019076637.tif 000010
【図９】
2019076637.tif 000011
【図１０】
2019076637.tif 000012
【図１１】
2019076637.tif 000013
【図１２】
2019076637.tif 000014
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
着座者が足を載せるフットレストを有した車椅子であって、
前記フットレストに載置された載置フットレストと、
この載置フットレストを前記フットレストに固定する結束バンドとを備え、
前記載置フットレストは、第１の載置フットレストと第２の載置フットレストを蝶番により連結されたものであり、
前記フットレストに載置された前記載置フットレストの部位は、前記第１の載置フットレストであり、
前記蝶番を閉じた状態では、前記第２の載置フットレストを前記第１の載置フットレストに対向するように重ねたものであると共に、前記着座者から見て、前記蝶番が前記フットレストの先端より前方に位置し、
前記蝶番を開いた状態では、前記着座者から見て、前記第２の載置フットレストが前方に突き出すようにする
ことを特徴とする車椅子。
【請求項２】
着座者が足を載せるフットレストを有した車椅子であって、
前記フットレストに載置された載置フットレストと、
この載置フットレストを前記フットレストに固定する結束バンドとを備え、
前記載置フットレストは、第１の載置フットレストと第２の載置フットレストを蝶番により連結されたものであり、
前記フットレストに載置された前記載置フットレストの部位は、前記第１の載置フットレストであり、
前記蝶番を閉じた状態では、前記第２の載置フットレストを前記第１の載置フットレストに対向するように重ねたものであると共に、前記着座者から見て、前記蝶番が前記フットレストの先端より前方に位置し、
前記蝶番を開いた状態では、前記着座者から見て、前記第２の載置フットレストが前方に突き出すようにする
ことを特徴とする車椅子。
【請求項３】
着座者が足を載せるフットレストを有した車椅子であって、
前記フットレストに載置された載置フットレストと、
この載置フットレストを前記フットレストに固定する結束バンドとを備え、
前記載置フットレストは、第１の載置フットレストと第２の載置フットレストを蝶番により連結されたものであり、
前記フットレストに載置された前記載置フットレストの部位は、前記第１の載置フットレストであり、
前記蝶番を閉じた状態では、前記第２の載置フットレストを前記第１の載置フットレストに対向するように重ねたものであり、
前記蝶番を開いた状態では、前記着座者から見て、前記第２の載置フットレストが前方に突き出すようにし、前記着座者の足が前記載置フットレストに載置される
ことを特徴とする車椅子における着座者の足載置方法。
【請求項４】
載置フットレストは、着座者から見て、左載置フットレストと右載置フットレストとを有し、
前記左載置フットレストは、左第１の載置フットレストと左第２の載置フットレストを左蝶番により連結されたものであり、
前記右載置フットレストは、右第１の載置フットレストと右第２の載置フットレストを右蝶番により連結されたものである
ことを特徴とする請求項１又は請求項２記載の車椅子。
【手続補正３】
【補正対象書類名】明細書
【補正対象項目名】０００１
【補正方法】変更
【補正の内容】
【０００１】
本発明は、車椅子及び車椅子における着座者の足載置方法に係り、特に、着座者の足の負担の軽減化を図った車椅子及び車椅子における着座者の足載置方法に関する。
【手続補正４】
【補正対象書類名】明細書
【補正対象項目名】０００５
【補正方法】変更
【補正の内容】
【０００５】
本発明は、上記事情を考慮してなされたもので、着座者の足の負担の軽減を図った車椅子及び車椅子における着座者の足載置方法を提供することを目的とする。
【手続補正５】
【補正対象書類名】明細書
【補正対象項目名】０００６
【補正方法】変更
【補正の内容】
【０００６】
請求項１記載の車椅子は、着座者が足を載せるフットレストを有した車椅子であって、前記フットレストに載置された載置フットレストと、この載置フットレストを前記フットレストに固定する結束バンドとを備え、前記載置フットレストは、第１の載置フットレストと第２の載置フットレストを蝶番により連結されたものであり、前記フットレストに載置された前記載置フットレストの部位は、前記第１の載置フットレストであり、前記蝶番を閉じた状態では、前記第２の載置フットレストを前記第１の載置フットレストに対向するように重ねたものであると共に、前記着座者から見て、前記蝶番が前記フットレストの先端より前方に位置し、前記蝶番を開いた状態では、前記着座者から見て、前記第２の載置フットレストが前方に突き出すようにするものである。
【手続補正６】
【補正対象書類名】明細書
【補正対象項目名】０００７
【補正方法】変更
【補正の内容】
【０００７】
また、請求項２記載の車椅子は着座者が足を載せるフットレストを有した車椅子であって、前記フットレストに載置された載置フットレストと、この載置フットレストを前記フットレストに固定する結束バンドとを備え、前記載置フットレストは、第１の載置フットレストと第２の載置フットレストを蝶番により連結されたものであり、前記フットレストに載置された前記載置フットレストの部位は、前記第１の載置フットレストであり、前記蝶番を閉じた状態では、前記第２の載置フットレストを前記第１の載置フットレストに対向するように重ねたものであると共に、前記着座者から見て、前記蝶番が前記フットレストの先端より前方に位置し、前記蝶番を開いた状態では、前記着座者から見て、前記第２の載置フットレストが前方に突き出すようにするものである。
【手続補正７】
【補正対象書類名】明細書
【補正対象項目名】０００８
【補正方法】変更
【補正の内容】
【０００８】
また、請求項３記載の車椅子における着座者の足載置方法は、着座者が足を載せるフットレストを有した車椅子であって、前記フットレストに載置された載置フットレストと、この載置フットレストを前記フットレストに固定する結束バンドとを備え、前記載置フットレストは、第１の載置フットレストと第２の載置フットレストを蝶番により連結されたものであり、前記フットレストに載置された前記載置フットレストの部位は、前記第１の載置フットレストであり、前記蝶番を閉じた状態では、前記第２の載置フットレストを前記第１の載置フットレストに対向するように重ねたものであり、前記蝶番を開いた状態では、前記着座者から見て、前記第２の載置フットレストが前方に突き出すようにし、前記着座者の足が前記載置フットレストに載置されるものである。
【手続補正８】
【補正対象書類名】明細書
【補正対象項目名】０００９
【補正方法】変更
【補正の内容】
【０００９】
また、請求項４記載の車椅子は、請求項１又は請求項２記載の車椅子において、載置フットレストは、着座者から見て、左載置フットレストと右載置フットレストとを有し、前記左載置フットレストは、左第１の載置フットレストと左第２の載置フットレストを左蝶番により連結されたものであり、前記右載置フットレストは、右第１の載置フットレストと右第２の載置フットレストを右蝶番により連結されたものである。
【手続補正９】
【補正対象書類名】明細書
【補正対象項目名】００１０
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１７
【補正方法】変更
【補正の内容】
【００１７】
本発明の一実施例の車椅子及び車椅子における着座者の足載置方法を図面（図１乃至図１２）を参照して説明する。
図１に示すＣは着座者が足を載せるフットレスト１を有した車椅子で、車椅子Ｃは、基枠２に後車輪である大車輪３と前車輪である小車輪４と、小車輪４の前方に突出したフットレスト１とを備えている。